(57)【要約】【課題】耐水性が良く、市販のカラーコーンを利用できる内照式カラーコーンを得る。【解決手段】光透過性を有する合成樹脂で一体に成形されたカラーコーン２と、このカラーコーン２の下方内部に取付けられて上方に光を投射するライトリング３と、上記カラーコーン２の上端部に取付けられて上記ライトリング３に給電する電源装置４とを備え、上記ライトリング３は、截頭円錐状に形成された筒部３２を有する環状のケース３１と、上記筒部３２の上端部に間隔をおいて取付けられた複数の発光ダイオード６と有し、上記電源装置４は、太陽電池４１と、この太陽電池４１で充電される二次電池４２と，この二次電池４２から上記発光ダイオード６への給電を制御する点灯駆動回路基板４３と、上記太陽電池４１、二次電池４２および点灯駆動回路基板４３を収容する外囲器４４とを有している。【選択図】図１
2005061198.tif 000002
【特許請求の範囲】
【請求項１】
光透過性を有する合成樹脂で一体に成形されたカラーコーンと、このカラーコーンの下方内部に取付けられて上方に光を投射するライトリングと、上記カラーコーンの上端部に取付けられて上記ライトリングに給電する電源装置とを備え、  上記ライトリングは、截頭円錐状に形成された筒部を有する環状のケースと、上記筒部の上端部に間隔をおいて取付けられた複数の発光ダイオードとを有し、  上記電源装置は、太陽電池と、この太陽電池で充電される二次電池と、この二次電池を電源として上記発光ダイオードへの給電を制御する点灯駆動回路基板と、上記太陽電池、二次電池および点灯駆動回路基板を収容する外囲器とを有している内照式カラーコーン。
【請求項２】
外囲器の上面内部に太陽電池が取付けられ、外囲器の下部がカラーコーンのコーン部の先端部に形成された取付孔内に挿入されて、電源装置が取付けられている請求項１記載の内照式カラーコーン。
【請求項３】
外囲器の下端部が円錐状に広がる筒状の取付部に形成されており、この筒部にカラーコーンの先端部を嵌め込んで電源装置が取付けられている請求項１記載の内照式カラーコーン。
【請求項４】
太陽電池がカラーコーンのコーン部の外周面に取付けられ、二次電池および点灯駆動回路基板を取付けた基体がカラーコーンのコーン部の上端内部に取付けられている請求項１記載の内照式カラーコーン。
【請求項５】
ライトリングの環状のケースが截頭円堆状の筒部のみで構成され、前記カラーコーンのコーン部の内面に当接して取付けられている請求項１記載の内照式カラーコーン。
【発明の詳細な説明】
【技術分野】
【０００１】  本発明は、道路標識などに用いられるカラーコーンのコーン部を、内部から照明するライトリングを備えた内照式カラーコーンに関する。
【背景技術】
【０００２】  従来のライトリングは、合成樹脂で成形された環状のケースの筒部の上端部に複数の発光ダイオードが所定の間隔で取付けられ、筒部の下端部から外方に延在するフランジ部に収納した乾電池で、点灯駆動されるように構成されている。フランジ部の取付部回りは、市販されている複数のカラーコーンに取付けられるように、形状寸法が工夫されている。ライトリングは、カラーコーンに取付けたときのカラーコーンの段部とライトリングの環状のケースとの間の空間に、乾電池と点灯駆動回路基板が収納され、濡れた路面に置かれたときに、乾電池や点灯駆動回路基板が濡れないように構成されている。（例えば、特許文献１参照）。【０００３】
【特許文献１】実用新案登録第２０４２０２３号
【発明の開示】
【発明が解決しようとする課題】
【０００４】  従来のライトリングは、カラーコーンを設置した路面が冠水したときは乾電池や点灯駆動回路基板が濡れることが避けられないので、乾電池が錆び付いたり点灯駆動回路基板の故障が生じることがあった。また、乾電池の交換作業が必要なため、煩わしいという問題点があった。【０００５】  本発明は、電池や点灯駆動回路基板の水濡れが生じるおそれが少なく、電池の交換が長期間不要な内照式カラーコーンを得ることを目的とする。
【課題を解決するための手段】
【０００６】  上記目的を達成するために、本発明の内照式カラーコーンは、光透過生を有する合成樹脂で一体に成形されたカラーコーンと、このカラーコーンの下方内部に取付けられて上方に光を投射するライトリングと、上記カラーコーンの上端部に取付けられて上記ライトリングに給電する電源装置とを備え、上記ライトリングは、截頭円錐状に形成された筒部を有する環状のケースと、上記筒部の上端部に間隔をおいて取付けられた複数の発光ダイオードとを有し、上記電源装置は、太陽電池と、この太陽電池で充電される二次電池と、この二次電池を電源として上記発光ダイオードへの給電を制御する点灯駆動回路基板と、上記太陽電池、二次電池および点灯駆動回路基板を収容する外囲器とを有している。  上記構成によれば、電源装置がカラーコーンの上部に取付けられているので、水濡れを生じるおそれが少ない。また、太陽電池で二次電池を充電するので、長期間電池の交換が不要となる。【０００７】  また、好ましい実施の形態では、外囲器の上面内部に太陽電池が取付けられ、外囲器の下部がカラーコーンのコーン部の先端部に形成された取付孔内に挿入されて、電源装置が取付けられている。  上記構成によれば、太陽電池が外囲器で保護されるので損傷を受けることが少ない。【０００８】  また、好ましい実施の形態では、外囲器の下端部が円錐状に広がる筒状の取付部に形成されており、この筒部にカラーコーンの先端部を嵌め込んで電源装置が取付けられている。  上記構成によれば、カラーコーンのコーン部の先端部分を切り取る、簡単な加工を施すことで、市販のカラーコーンを利用できる。【０００９】  また、好ましい実施の形態では、太陽電池がカラーコーンのコーン部の外周面に取付けられ、二次電池および点灯駆動回路基板を取付けた基体がカラーコーンのコーン部の上端内部に取付けられている。  上記構成によれば、電源装置の構造が簡単になるとともに、市販のカラーコーンを利用できる。【００１０】  また、好ましい実施の形態では、ライトリングの環状のケースが截頭円堆状の筒部のみで構成され、前記カラーコーンのコーン部の内面に当接して取付けられている。  上記構成によれば、ライトリングをカラーコーンのコーン部の中段に取付けられるので、点灯時の視認性が向上する。
【発明の効果】
【００１１】  本発明の内照式カラーコーンは、ライトリングと電源装置を別体に構成し、ライトリングをカラーコーンのコーン部内に、また、電源装置をコーン部の上部に取付けるので、電源装置を構成する二次電池や点灯駆動回路基板が雨水などによって濡れるおそれが少ないので、水濡れに伴う故障の発生が少なくなるとともに、太陽電池で二次電池を充電するので、長期間にわたって電池交換作業が不要となり、保守手間を軽減できる。
【発明を実施するための最良の形態】
【００１２】  以下、本発明に係る内照式カラーコーンの実施形態を図面に基づいて説明する。【００１３】  図１は、本発明に係る内照式カラーコーンの実施形態１の縦断面図、図２はその底面図である。図１に示すように、内照式カラーコーン１は、カラーコーン２とライトリング３と電源装置４を備えている。カラーコーン２は光透過性を有する合成樹脂で、基台２１と段部２２とコーン部２３が一体に成形されている。段部２２内には、ライトリング３を取付ける台座２４，２４が形成され、コーン部２３の上端部には、電源装置４を取付ける取付孔２５が形成されている。【００１４】  図３は、ライトリングの平面図、図４は、縦断面図である。ライトリング３は、環状のケース３１と、複数の発光ダイオード６と、フレキシブル配線基板７とを有している。図４に示すように、環状のケース３１は、截頭円錐状の筒部３２と、筒部３２の下部から外方に延在するフランジ部３３とを有している。図３に示すように、筒部３２の上端部には、外面側に２つ一組の保持爪３４が所定の間隔で設けられており、筒部３２の上端部の外壁と、保持爪３４の間に形成されたスリット３５内に、複数の発光ダイオード６が接続されたフレキシブル配線基板７が挿入されて取付けられている。  さらに、一組の保持爪３４の間は、筒部３２を切り欠いた切欠き部３６が形成されており、発光ダイオード６が、この切欠き部３６の位置に配置されている。【００１５】  環状のケース３１は、フランジ部３３に形成された２つの透孔３７に、図１に示すように、カラーコーン２の台座２４に植え立てられているボルト２６が挿入されるように組合わされて、ナット２７で締結して取付けられる。このとき、環状のケース３１の筒部３２は、カラーコーン２のコーン部２３の内面に沿う状態になる。３８ａ，３８ｂは、９０度または６０度の間隔で形成されている凹部で、カラーコーン２の段部２２内に形成されているリブがフランジ部３３に当るのを避けるために設けている。発光ダイオード６は、コーン部２３の内面と環状のケース３の筒部３２の内面の間に位置するので、ライトリング３を装着した内照式カラーコーン１を積み重ねても、積み重ねたカラーコーンが発光ダイオード６に接触することがないので、発光ダイオード６が損傷をうけることがない。【００１６】  電源装置４は、図５に示すように、太陽電池４１と、この太陽電池４１で充電される二次電池４２と、この二次電池４２から発光ダイオード６への給電を制御する点灯駆動回路基板４３と、これらを収容する外囲器４４とを有している。外囲器４４は、不透明な合成樹脂で形成された外囲器本体４５と、透明な合成樹脂で形成された上蓋４６とで構成され、外囲器本体４５内に点灯駆動回路基板４３が装着されている。上蓋４６の内面に形成された取付座４６ａには、図６に示した配置で太陽電池４１が取付けられ、外囲器本体４５と上蓋４６は、外囲器本体４５の基体４５ａの上面に形成された取付座４５ｂと、上蓋４６の取付座４６ａに突設された取付脚４６ｂとを、ねじ４７で締結して一体化している。さらに、基体４５ａの下面には、電池ケース４５ｄが形成され、二次電池４２が挿入されて蓋４８で固定される。点灯駆動回路基板４３から引き出された給電線１０は、蓋４８の下面に取付けられたスイッチ５を介してライトリング３のフレキシブル配線基板７に接続される。外囲器本体４５の基体４５ａの下面には、筒状の取付部４５ｃが形成され、カラーコーン２のコーン部２３の頂部に形成された取付孔２５内に挿入され、接着またはねじ止めされて取付けられる。  さらに、本発明に係るライトリング３は、電池や点灯駆動回路基板を搭載しないので、取付け回りの構造・寸法を、多種類の市販カラーコーンへの装着が可能に構成することができる。【００１７】  第１実施形態によれば、ライトリング３と電源装置４を分離し、さらに太陽電池４１で二次電池４２を充電するようにした電源装置４を、カラーコーン２の頂部に配置したので、ライトリング３の環状のケース３１の形状、構造を簡素化できる。また、電源装置４が路面から離れた位置に装着されるので、路面が冠水しても濡れることがなく、水濡れによるトラブルの発生が解消する。さらに長期間電池交換が不要となるので、電池交換の保守手間が大幅に軽減する。【００１８】  図７は、第２実施形態の二次電池４２の取付け状態を示す縦断面図で、図５と同一符号はそれぞれ同一または相当部分を示している。この第２実施形態は、筒状の取付部４５ｃ内に横置き形の電池ケース４５ｄを形成し、その側壁にスイッチ５を取付けたものである。この構成によると、外囲器本体４５の構成が簡単になり、コーン部２３内の下方への突出量が小さくなって、内照式カラーコーンの積重ね数を多くできる。【００１９】  図８は、第３実施形態の電源装置のカラーコーンへの取付け状態を示す縦断面図で、図７と同一符号はそれぞれ同一または相当部分を示している。この第３実施形態は、外囲器本体４５の下端部が円錐状に広がる筒状の取付部４５ｅに形成されており、この取付部４５ｅを、コーン部２３の先端部分を切除した市販のカラーコーン２に嵌め込むことで、電源装置４をカラーコーン２に取付けることができる。この構成によると、コーン部２３の先端部分を切取る簡単な加工を施すだけで、市販のカラーコーンを利用することができる。【００２０】  図９は、第４実施形態の電源装置４の構成を示す一部破断側面図で、図１および図５と同一符号はそれぞれ同一または相当部分を示している。この第４実施形態は、面上に太陽電池４１が形成されたフレキシブル基板８を、カラーコーン２のコーン部２３の側面に、貼付または鋲止めによって取付けている。また、二次電池４２、点灯駆動回路基板４３およびスイッチ５を取付けた基体９の取付部９ａが、コーン部２３の内面に沿う円錐筒状に形成されており、この取付部９ａがコーン部２３の上端内部に当接して、接着または鋲止めによって取付けられている。この構成によると、電源装置４の構造が簡単になるとともに、市販のカラーコーンを利用できる。【００２１】  図１０は、第５実施形態のライトリングを示す縦断面図で、図３および図４と同一符号は、それぞれ同一または相当部分を示している。この実施形態では、ライトリング３の環状のケース３１を、第１実施形態で示したフランジ部３３を除去した筒部３２のみで構成し、筒部３２をコーン部２３の内面に取付けたものである。この第５実施形態では、筒部３２の下部３２ａを肉厚に形成し、コーン部２３内に押し込んで保持爪３４と肉厚部３２ａとがコーン部２３の内面に当接した状態で接着または鋲止めによって固着する。この構成によると、市販のカラーコーンを利用できるとともに、ライトリング３の取付け位置をコーン部２３の中段部分に取付けることができるため、視認性が向上する。さらに、ライトリング３の取付位置が高くなるので冠水によるトラブルが少なくなる。
【図面の簡単な説明】
【００２２】
【図１】本発明の第１実施形態の断面図である。
【図２】同実施形態の底面図である。
【図３】同実施形態のライトリングの平面図である。
【図４】同実施形態のライトリングの縦断面図である。
【図５】同実施形態の電源装置の縦断面図である。
【図６】同実施形態の電源装置の平面図である。
【図７】本発明の第２実施形態の電源装置の縦断面図である。
【図８】本発明の第３実施形態の電源装置の縦断面図である。
【図９】本発明の第４実施形態の電源装置の一部破断側面図である。
【図１０】本発明の第５実施形態のライトリングの取付け状態を示す縦断面図である。
【符号の説明】
【００２３】  １…内照式カラーコーン、２…カラーコーン、２１…基台、２２…段部、２３…コーン部、２４…台座、２５…取付孔、２６…ボルト、２７…ナット、３…ライトリング、３１…環状のケース、３２…筒部、３２ａ…肉厚部、３４…保持爪、３５…スリット、３６…切欠き部、３７…透孔、３８ａ、３８ｂ…凹部、４…電源装置、４１…太陽電池、４２…二次電池、４３…点灯駆動回路基仮、４４…外囲器、４５…外囲器本体、４５ａ…基体、４５ｂ…取付座、４５ｃ…筒状の取付部、４５ｄ…電池ケース、４５ｅ…円錐筒状の取付部、４６…外囲器上蓋、４６ａ…取付座、４６ｂ…取付脚、４７…ねじ、４８…蓋、５…スイッチ、６…発光ダイオード、７…フレキシブル配線基板、９…基体、９ａ…筒状の取付部、１０…給電線。
【図１】
2005061198.tif 000003
【図２】
2005061198.tif 000004
【図３】
2005061198.tif 000005
【図４】
2005061198.tif 000006
【図５】
2005061198.tif 000007
【図６】
2005061198.tif 000008
【図７】
2005061198.tif 000009
【図８】
2005061198.tif 000010
【図９】
2005061198.tif 000011
【図１０】
2005061198.tif 000012